(57)【要約】【課題】有効画面比率を大幅に低下させることなく、更なる薄型化を実現したプラズマディスプレイ装置を提供する。【解決手段】パネルと、パネルを前面に保持するシャーシと、シャーシの背面側に取り付けられた第１の回路基板６３と、第１の回路基板とは別の第２の回路基板６４とを備え、第１の回路基板６３には、実装後の高さが所定の寸法以下である回路部品が実装され、第２の回路基板６４には、少なくとも実装後の高さが所定の寸法を超える回路部品が実装されるとともに第１の回路基板６３に実装された第１のコンデンサ８４に並列に接続された第２のコンデンサ８６が実装され、第２のコンデンサ８６の容量は第１のコンデンサ８４の容量よりも大きいことを特徴とする。【選択図】図８
2009145624.tif 000002
【特許請求の範囲】
【請求項１】
プラズマディスプレイパネルと、前記プラズマディスプレイパネルを前面に保持するシャーシと、前記シャーシの背面側に取り付けられた第１の回路基板と、前記第１の回路基板とは別の第２の回路基板とを備え、
前記第１の回路基板には、実装後の高さが所定の寸法以下である回路部品が実装され、
前記第２の回路基板には、少なくとも実装後の高さが前記所定の寸法を超える回路部品が実装されるとともに前記第１の回路基板に実装された第１のコンデンサに並列に接続された第２のコンデンサが実装され、前記第２のコンデンサの容量は前記第１のコンデンサの容量よりも大きいことを特徴とするプラズマディスプレイ装置。
【請求項２】
前記第１のコンデンサはフィルムコンデンサであり、前記第２のコンデンサは電解コンデンサであることを特徴とする請求項１に記載のプラズマディスプレイ装置。
【請求項３】
前記第２の回路基板は、前記プラズマディスプレイパネルの長辺側の下部に取り付けられていることを特徴とする請求項１に記載のプラズマディスプレイ装置。
【発明の詳細な説明】
【技術分野】
【０００１】
本発明は、薄型の画像表示装置であるプラズマディスプレイ装置に関する。
【背景技術】
【０００２】
平面状に多数配列された画素を有する画像表示デバイスとして代表的なプラズマディスプレイパネル（以下、「パネル」と略記する）は、対向配置されたガラス製の前面基板と背面基板との間に多数の放電セルを構成してなる。
【０００３】
プラズマディスプレイ装置は、このようなパネルとその駆動回路とをシャーシ部材に取り付け、それらを前面枠とバックカバーとからなる筐体内部に収納して構成されている。パネル自体の厚みは数ｍｍ程度であるが、駆動回路やその他部材の小型化、薄型化には限界があり、従来のプラズマディスプレイ装置の厚みは１０ｃｍ程度となっていた。
【０００４】
より一層の薄型化を実現するプラズマディスプレイ装置の構造として、例えば特許文献１には、平板形状のシャーシ部材の前面側にパネルを取り付けて配置するとともに、パネルが配置された領域の背面側以外のシャーシ部材の領域に、駆動回路ブロックを取り付けて配置した構造が開示されている。
【特許文献１】特開２００４−１９８５８０号公報
【発明の開示】
【発明が解決しようとする課題】
【０００５】
しかしながら、特許文献１に記載の構造によれば、前面側から見たプラズマディスプレイ装置全体の面積に対する画像表示面積、いわゆる有効画面比率が大幅に低下するという課題があった。
【０００６】
本発明は、上記課題に鑑みなされたものであり、有効画面比率を大幅に低下させることなく、更なる薄型化を実現したプラズマディスプレイ装置を提供することを目的とする。
【課題を解決するための手段】
【０００７】
上記目的を達成するために本発明のプラズマディスプレイ装置は、パネルと、パネルを前面に保持するシャーシと、シャーシの背面側に取り付けられた第１の回路基板と、第１の回路基板とは別の第２の回路基板とを備え、第１の回路基板には、実装後の高さが所定の寸法以下である回路部品が実装され、第２の回路基板には、少なくとも実装後の高さが所定の寸法を超える回路部品が実装されるとともに第１の回路基板に実装された第１のコンデンサに並列に接続された第２のコンデンサが実装され、第２のコンデンサの容量は第１のコンデンサの容量よりも大きいことを特徴とする。この構成により、有効画面比率を大幅に低下させることなく、更なる薄型化を実現したプラズマディスプレイ装置を提供することができる。
【０００８】
また本発明のプラズマディスプレイ装置の第１のコンデンサはフィルムコンデンサであり、第２のコンデンサは電解コンデンサであることが望ましい。
【０００９】
また本発明のプラズマディスプレイ装置の第２の回路基板は、パネルの長辺側の下部に取り付けられている構造であってもよい。
【発明の効果】
【００１０】
本発明によれば、有効画面比率を大幅に低下させることなく、更なる薄型化を実現したプラズマディスプレイ装置を提供することが可能となる。
【発明を実施するための最良の形態】
【００１１】
以下、本発明の実施の形態におけるプラズマディスプレイ装置について、図面を用いて説明する。
【００１２】
（実施の形態）
図１は、本発明の実施の形態のプラズマディスプレイ装置に用いるパネルの要部を示す分解斜視図である。パネル１０は、ガラス製の前面基板２１と背面基板３１とを対向配置して、その間に放電空間を形成するように構成されている。前面基板２１上には走査電極２２と維持電極２３とから構成される表示電極対２４が複数形成されている。そして、表示電極対２４を覆うように誘電体層２５が形成され、誘電体層２５上には保護層２６が形成されている。また、背面基板３１上には複数のデータ電極３２が平行に形成され、データ電極３２を覆うように絶縁体層３３が形成され、さらに絶縁体層３３上に井桁状の隔壁３４が設けられている。また、絶縁体層３３の表面および隔壁３４の側面に蛍光体層３５が設けられている。そして、走査電極２２および維持電極２３とデータ電極３２とが交差するように前面基板２１と背面基板３１とが対向配置されており、その間に形成される放電空間には、放電ガスとして、例えばネオンとキセノンの混合ガスが封入されている。
【００１３】
前面基板２１および背面基板３１の大きさは、画面サイズが４２インチ相当のパネルであれば、それぞれ、例えば９８０ｍｍ×５７０ｍｍであり、６０インチ相当のパネルであれば、それぞれ、例えば１５００ｍｍ×８７０ｍｍである。そしてその厚みは、それぞれ、例えば１．８ｍｍである。
【００１４】
なお、パネルの構造は上述したものに限られるわけではなく、例えばストライプ状の隔壁を備えたものであってもよい。
【００１５】
図２は、本発明の実施の形態のプラズマディスプレイ装置に用いるパネル１０の外観を模式的に示す平面図であり、図２（ａ）はパネル１０を背面基板３１側から見た図であり、図２（ｂ）は前面基板２１側から見た図である。パネル１０の前面基板２１および背面基板３１は矩形状であり長辺と短辺を有している。また図３は、同パネル１０にフレキシブル基板（以下、「ＦＰＣ」と略記する）を取り付けた様子を示す模式図であり、パネル１０を前面基板２１側から見た図である。図２（ａ）に示すように、前面基板２１の短辺左側には走査電極用の電極引出部２８が形成されており、電極引出部２８のそれぞれはｎ本の走査電極２２のそれぞれに接続されている。また、前面基板２１の短辺右側には維持電極用の電極引出部２９が形成されており、電極引出部２９のそれぞれはｎ本の維持電極２３のそれぞれに接続されている。ただし維持電極２３については、それぞれが電気的に接続されていてもよく、この場合には電極引出部２９のそれぞれが維持電極２３のそれぞれに１対１で対応していなくてもよい。
【００１６】
この電極引出部２８、２９はそれぞれ複数のブロックに分かれており、各々のブロックには、図３に示したように、走査用ＦＰＣ４１および維持用ＦＰＣ４２が接続される。また図２（ｂ）に示すように、背面基板３１の長辺下側にはデータ電極用の電極引出部３８が形成されている。電極引出部３８のそれぞれはｍ本のデータ電極３２のそれぞれに接続されている。この電極引出部３８も複数のブロックに分かれており、各々のブロックにはデータ電極３２を駆動するためのモジュールが搭載されたデータ電極用ＦＰＣ４３が接続される。
【００１７】
図４は、本発明の実施の形態におけるプラズマディスプレイ装置１００の回路ブロック図である。プラズマディスプレイ装置１００は、パネル１０、画像信号処理回路５１、データ電極駆動回路５２、走査電極駆動回路５３、維持電極駆動回路５４、タイミング発生回路５５、各回路ブロックに必要な電源を供給する電源回路５６を備えている。
【００１８】
画像信号処理回路５１は、画像信号をパネル１０で表示できる画素数および階調数の画像信号に変換し、さらにサブフィールドのそれぞれにおける発光・非発光をデジタル信号のそれぞれのビットの「１」、「０」に対応させた画像データに変換する。データ電極駆動回路５２は、画像データを各データ電極３２に対応する書込みパルスに変換し、各データ電極３２に印加する。
【００１９】
タイミング発生回路５５は水平同期信号、垂直同期信号をもとにして、各回路ブロックの動作を制御する各種のタイミング信号を発生し、それぞれの回路ブロックへ供給する。走査電極駆動回路５３、維持電極駆動回路５４は、それぞれのタイミング信号に基づき駆動電圧波形を作成し、走査電極２２、維持電極２３のそれぞれに印加する。
【００２０】
電源回路５６は、走査電極、維持電極、データ電極を駆動するための各種の電圧を発生し、それぞれの回路ブロックに供給している。また画像信号処理回路５１、タイミング発生回路５５を駆動するための電源も備えている。
【００２１】
図５は、本発明の実施の形態におけるプラズマディスプレイ装置１００の構造を示す分解斜視図である。プラズマディスプレイ装置１００は、パネル１０と、パネル１０を前面に保持するシャーシ６１と、パネル１０で発生した熱をシャーシ６１に伝達するとともにパネル１０とシャーシ６１とを接着するための熱伝導シート６２と、シャーシ６１の背面側に取り付けられ、パネル１０を駆動するための各種の駆動回路を実装した第１の回路基板６３と、主に電源回路５６を実装した第２の回路基板６４と、これらを収納する前面枠６５およびバックカバー６６とを備えている。また前面枠６５にはパネル１０を保護するための透明な保護板を設けてもよいが、本実施の形態においては、プラズマディスプレイ装置１００の厚みを薄くするために、保護板の代わりに、保護シートをパネル１０の表面に直接貼り付けている。
【００２２】
図６は、本発明の実施の形態におけるプラズマディスプレイ装置１００の回路基板の配置を示す図である。図６は、画面サイズが５０インチ相当のパネルを搭載したプラズマディスプレイ装置１００の回路基板の配置図であり、バックカバー６６を外した状態で、各種の駆動回路を搭載した回路基板とその配置を模式的に示す図である。
【００２３】
図５に示した第１の回路基板６３は、パネル１０の背面側のシャーシ６１にパネル１０と略平行に取り付けられている。
【００２４】
ここに取り付けられている第１の回路基板６３は、縦、横、高さの内の最小の寸法が所定の寸法である１２ｍｍ以下の部品のみを実装した回路基板であり、本実施の形態においては、データ電極駆動回路５２を搭載した回路基板６３ａと、走査電極駆動回路５３を搭載した回路基板６３ｂと、維持電極駆動回路５４を搭載した回路基板６３ｃと、画像信号処理回路５１を搭載した回路基板６３ｄと、タイミング発生回路５５を搭載した回路基板６３ｅである。これらの回路基板は複数枚に分割されていてもよく、本実施の形態においては、走査電極駆動回路５３は３枚の回路基板６３ｂに分割して搭載され、データ電極駆動回路５２も３枚の回路基板６３ａに分割して搭載されている。
【００２５】
電源回路５６を搭載した第２の回路基板６４は、パネル１０の背面側にパネル１０と略平行に取り付けられているのではなく、本実施の形態においてはパネル１０およびシャーシ６１の長辺側の下部に、パネル１０と略垂直に取り付けられている。
【００２６】
図７は、本発明の実施の形態におけるプラズマディスプレイ装置１００の側面の断面を示す模式図である。図７には前面枠６５、パネル１０、シャーシ６１、熱伝導シート６２、バックカバー６６、第１の回路基板６３、第２の回路基板６４を示している。本実施の形態においては、パネル１０、熱伝導シート６２、シャーシ６１、第１の回路基板６３、バックカバー６６の厚みが、それぞれ３．６ｍｍ、０．５ｍｍ、１．０ｍｍ、１．０ｍｍ、１．０ｍｍである。そして第１の回路基板６３に搭載される部品の実装後の高さが１２ｍｍ以下に制限されているため、第１の回路基板６３とシャーシ６１との空間距離、および第１の回路基板６３に実装された部品とバックカバー６６との空間距離を含めたこれらの厚みの合計は２５ｍｍ以下である。
【００２７】
しかし電源回路５６を構成する部品は大きいものが多く、高さを１２ｍｍ以下に制限することは現実的ではない。特に電源トランスや平滑用の電解コンデンサ等の厚みをすべて上記の値に制限することは事実上不可能である。そこで本実施の形態においては、これら電源回路５６の大きな部品を搭載した第２の回路基板６４をパネル１０の背面側にパネル１０と平行に取り付けるのではなく、比較的広い空間を確保できるパネル１０およびシャーシ６１の長辺側の下部に、パネル１０と略垂直に取り付けている。このように配置することにより、図７に示したように、プラズマディスプレイ装置１００の厚みを２５ｍｍに抑えている。
【００２８】
ここで、各電極を駆動する駆動回路を搭載した回路基板へ供給する電源は、リップル成分を含まず、かつ低インピーダンスであることが望ましい。図８は、本実施の形態における電源回路５６を搭載した第２の回路基板６４と維持電極駆動回路５４を搭載した第１の回路基板６３ｃとの部品配置および接続を示す模式図である。リップル成分を除去するための第２のコンデンサである平滑コンデンサは比較的大型で容量の大きい電解コンデンサ８６を用いるために第２の回路基板６４に搭載し、第１の回路基板である回路基板６３ｃには、比較的小型で容量は小さいが高周波特性に優れた第１のコンデンサであるフィルムコンデンサ８４を上記の電解コンデンサ８６と並列に搭載している。また電解コンデンサ８６とフィルムコンデンサ８４とをつなぐ配線は、ノイズの重畳し難いツイストペア線８８を用いるとさらに望ましい。あるいはツイストペア線８８の代わりにシールド線を用いてもよい。このように、第２の回路基板には、第１の回路基板に実装された第１のコンデンサに並列に接続された第２のコンデンサが実装され、第２のコンデンサの容量は第１のコンデンサの容量よりも大きい。なお図８には、回路基板６４と回路基板６３ｃとの接続を示しているが、回路基板６４と回路基板６３ｂとの接続、回路基板６４と回路基板６３ａとの接続、回路基板６４と回路基板６３ｄとの接続、回路基板６４と回路基板６３ｅとの接続についても同様である。
【００２９】
なお、本実施の形態においては、第２の回路基板６４をパネル１０およびシャーシ６１の長辺側の下部に、パネル１０と略垂直に取り付けるものとして説明したが、プラズマディスプレイ装置１００を２体型とし、パネル１０等を収納する筐体（前面枠６５およびバックカバー６６）とは別に設けた筐体内部に第２の回路基板６４を収納した構成であってもよい。
【００３０】
なお、本実施の形態において用いた具体的な各数値は、単に一例を挙げたに過ぎず、パネルの特性やプラズマディスプレイ装置の仕様等に合わせて、適宜最適な値に設定することが望ましい。
【産業上の利用可能性】
【００３１】
本発明は、有効画面比率を大幅に低下させることなく、更なる薄型化を実現でき、薄型の画像表示装置であるプラズマディスプレイ装置として有用である。
【図面の簡単な説明】
【００３２】
【図１】本発明の実施の形態のプラズマディスプレイ装置に用いるパネルの要部を示す分解斜視図
【図２】同パネルの外観を模式的に示す平面図
【図３】同パネルにＦＰＣを取り付けた様子を示す模式図
【図４】本発明の実施の形態におけるプラズマディスプレイ装置の回路ブロック図
【図５】同プラズマディスプレイ装置の構造を示す分解斜視図
【図６】同プラズマディスプレイ装置の回路基板の配置を示す図
【図７】同プラズマディスプレイ装置の側面の断面を示す模式図
【図８】同プラズマディスプレイ装置の第２の回路基板と第１の回路基板との部品配置および接続を示す模式図
【符号の説明】
【００３３】
１０    パネル
４１，４２，４３    ＦＰＣ
６１    シャーシ
６３，６３ａ，６３ｂ，６３ｃ，６３ｄ，６３ｅ    （第１の）回路基板
６４    （第２の）回路基板
６５    前面枠
６６    バックカバー
８４    フィルムコンデンサ（第１のコンデンサ）
８６    電解コンデンサ（第２のコンデンサ）
８８    ツイストペア線
１００    プラズマディスプレイ装置
【図１】
2009145624.tif 000003
【図２】
2009145624.tif 000004
【図３】
2009145624.tif 000005
【図４】
2009145624.tif 000006
【図５】
2009145624.tif 000007
【図６】
2009145624.tif 000008
【図７】
2009145624.tif 000009
【図８】
2009145624.tif 000010